(57)【要約】      （修正有）【課題】  狭い机やテーブル等の上においても場所をとらず、置きやすく、使い勝手のよいティシュペーパーの紙箱を提供する。更に、従来の紙箱よりも高さの高い紙箱を形成して、より収容枚数の多い紙箱を提供する。【解決手段】  従来の横長形状の家庭用のティシュペーパーの紙箱に比べ、内部に収容されているティシュペーパーの折り方を２分の１から４分の１にすることで、従来の紙箱の横幅を約半分にし、紙箱の高さを内部に収容したティシュペーパーの一辺の長さの６０〜９０パーセントの長さとした直方体の紙箱を形成するとともに、紙箱の上面中央部にミシン目で切り込み９を入れてほぼ長方形に形成した取り出し口１０を設け、その取り出し口の長手方向の向きは収容されたティシュペーパーの折り目に対して直角に形成するとともに、取り出し口には両端部付近を分岐状としたスリット１３を入れた樹脂フィルムを貼る。【選択図】  図１
2006213398.tif 000002
【特許請求の範囲】
【請求項１】
直方体の紙箱に交互に折り重ねた複数枚のティシュペーパーを収容し、上面にミシン目で切り込みを設けた取り出し口から、内部に収容したティシュペーパーを引き出すようにし、かつその取り出し口の内側にはスリットを有する樹脂フィルムを貼着した、外形寸法が概ね長手方向２４０ミリ、短手方向１２０ミリ、高さ５０ミリ程度の家庭用のティシュペーパーの紙箱において、
紙箱の上面および底面をほぼ正方形とし、高さを内部にほぼ正方形に折りたたまれて収容されたティシュペーパーの一辺の長さの６０〜９０パーセントの長さとした直方体の紙箱を形成するとともに、紙箱の上面中央部には、ミシン目で切りこみを入れてほぼ長方形に形成した取り出し口とそれを覆う同一形状のふた部を設けるが、その取り出し口の長手方向の向きは、内部に収容されたティシュペーパーの折り目に対して直角とし、また取り出し口の長手方向の長さは紙箱の上面の一辺の長さの６０〜９０パーセントとし、同じく取り出し口の短手方向の長さは上面の一辺の長さの２０〜４０パーセントとするとともに、取り出し口の内側に貼着された軟質の樹脂フィルムに設けられたスリットは、樹脂フィルムの長手方向中央部にほぼ直線状に形成し、かつスリットの両端部付近を分岐状に形成してなることを特徴とするティシュペーパーの紙箱。
【請求項２】
請求項１記載の紙箱を、複数個同一の向きで重ね合わせ、重ね合わせた上側の紙箱の底面の一部と、下側の紙箱のミシン目で切りこみを設けた取り出し口を覆うふた部とを貼着して、一体化した紙箱を形成してなることを特徴とするティシュペーパーの紙箱。
【発明の詳細な説明】
【技術分野】
【０００１】  この発明は、従来から家庭用として使用されている横長で高さを抑えたコンパクトタイプのティシュペーパーの紙箱を、狭い机やテーブル等の上においても場所をとらないで置きやすく、また使いやすくするために、その紙箱の上面および底面の広さを従来の約半分のほぼ正方形の形状にして、かつ１箱あたりのティシュペーパーの収容枚数をできるだけ多くするために、従来よりも高さを可能な限り高くしたティシュペーパーの紙箱に関するものである。
【背景技術】
【０００２】  従来から家庭用として使用されているティシュペーパーの紙箱の形状は、近年のコンパクト化の流れの中で、一般的な外形寸法は、概ね長手方向２４０ミリ、短手方向１２０ミリ、高さ５０ミリ程度の大きさで、かつ一箱当りのティシュペーパーの枚数も３００〜４００枚、２枚一組で１５０〜２００組程度のものを収容した横長形状のものが多く販売され、今日ではそれが主流になっている。しかし、これらの紙箱はいずれも一般的形状は、ほとんどの製品において、長手方向対短手方向の割合がほぼ２：１の長方形をしており、これらを狭い机やテーブル等の上において使用する場合には、意外に広く場所をとるため、置きずらく不便な面が多々あった。【０００３】  そこで、できるだけ場所をとらないような長手方向を縮めた形状にして、その分高さを高くすることで、従来のティシュペーパーの収容枚数をできるだけ多く収容するような使い勝手のよい紙箱が望まれていたが、今日までこのような紙箱がほとんど製品化されてきていなかったのは、通常のティシュペーパーの紙箱は上面に取り出し口が設けられており、上から順にいわゆるポップアップ方式（上のペーパーが取り出し口から引き出されると、その下のペーパーが引きずられて、その上部が取り出し口から突出した状態となる方式）でティシュペーパーを引き上げる方式になっていることから、紙箱の高さがある一定以上の高さになると、内部に収容されているティシュペーパーの重みによって紙どうしの摩擦力（くっつきあう力）が弱まり、途中で上に引き上げられなくなって、紙箱の中に落ち込んでしまう欠点があったためである。そのためできるだけ場所をとらないで。高さを高くした家庭用の紙箱が望まれていたが、これまでほとんど提供されてきていなかった。
【発明の開示】
【発明が解決しようとする課題】
【０００４】そこで、請求項１記載の発明（以下第１の発明という。）の課題は、従来の横長形状の紙箱を約半分にして、紙箱の上面および底面の広さをほぼ正方形の形状に変更するとともに、従来の紙箱の収容枚数をできるだけ減らさないようにするために、紙箱の高さを可能な限り高くすること、そのために紙箱の上面に設ける取り出し口の位置や長さや幅等を、可能な限り紙箱の高さを高くしたときでもティシュペーパーが中に落ち込みにくいような構造にすること、その取り出し口で、できるだけティシュペーパーを強く保持できるような構造や形状にすること、ティシュペーパーが満杯状態のときでも、取り出しやすいような形状にすることなどを課題とする。【０００５】また、請求項２記載の発明（以下第２の発明という。）の課題は、前記第１の発明の紙箱を、前述のようにして可能な限り高さを高くしたとしても、収容枚数を従来の紙箱と同ようにするとすれば、２倍程度の高さにまでしなければならず、製造面等で大幅なコスト増が予想されることから難しため、この発明においては、前記第１の発明により形成された紙箱を複数個同一の向きで重ね合わせて、全体を一体的構造にして、タワーのような形状の紙箱を形成することで、従来のものよりも収容枚数において大幅に上回り、しかも置き場所もとらず、使い勝手のよい紙箱を提供することを課題とする。
【課題を解決するための手段】
【０００６】  第１の発明の課題解決手段は、直方体の紙箱に交互に折り重ねた複数枚のティシュペーパーを収容し、上面にミシン目で切り込みを設けた取り出し口から、内部に収容したティシュペーパーを引き出すようにし、かつその取り出し口の内側にはスリットを有する樹脂フィルムを貼着した、外形寸法が概ね長手方向２４０ミリ、短手方向１２０ミリ、高さ５０ミリ程度の家庭用のティシュペーパーの紙箱において、
紙箱の上面および底面をほぼ正方形とし、高さを内部にほぼ正方形に折りたたまれて収容されたティシュペーパーの一辺の長さの６０〜９０パーセントの長さとした直方体の紙箱を形成するとともに、紙箱の上面中央部には、ミシン目で切りこみを入れてほぼ長方形に形成した取り出し口とそれを覆う同一形状のふた部を設けるが、その取り出し口の長手方向の向きは、内部に収容されたティシュペーパーの折り目に対して直角とし、また取り出し口の長手方向の長さは紙箱の上面の一辺の長さの６０〜９０パーセントとし、同じく取り出し口の短手方向の長さは上面の一辺の長さの２０〜４０パーセントとするとともに、取り出し口の内側に貼着された軟質の樹脂フィルムに設けられたスリットは、樹脂フィルムの長手方向中央部にほぼ直線状に形成し、かつスリットの両端部付近を分岐状に形成してなることを特徴とする。【０００７】  また、第２の発明の課題解決手段は、第１の発明の紙箱を、複数個同一の向きで重ね合わせ、重ね合わせた上側の紙箱の底面の一部と、下側の紙箱のミシン目で切りこみを設けた取り出し口を覆うふた部とを貼着して、一体化した紙箱を形成してなることを特徴とする。
【発明の効果】
【０００８】  第１の発明の効果は、前述のような構成であるから、紙箱内部のティシュペーパーが少なくなって、最上部にあるティシュペーパーと取り出し口との距離が開いてきた場合でも、取り出し口とティシュペーパーとの向きが直交していることから、最上部のティシュペーパーは紙箱の中で９０度の角度でねじれながら上に引き出されるため、紙どうしの摩擦力（くっつきあう力）がより大きくなるとともに、その取り出し口の長さも、紙箱の一辺の長さより短く形成してあるため、ティシュペーパーの左右が同時に絞られながら引き出されることから、摩擦力が増して落下しにくくなり、なおかつ、取り出し口の内側に軟質の樹脂フィルムが貼られ、保持力を持たせたスリットも設けられているため、内部から引き出されるときに樹脂フィルムの締め付ける力も働くことと合わさって、取り出し口の保持力が一層増すこととなり、内部から引き上げられるティシュペーパーは途中でより一層落下しにくくなる。【０００９】  これによって、この紙箱の高さを従来の５０ミリ程度から、６０ミリ以上の高さに高くすることが可能となり、紙箱が約半分になったにもかかわらず、ティシュペーパーの収容枚数では従来の紙箱で１５０〜２００組程度のものが、この発明では１４０〜１５０組程度にまで収容枚数を近づけることが可能となる。【００１０】  また、この紙箱の使い始めのときに、ティシュペーパーが満杯状態であっても、取り出し口の構造や形状や位置が、引き出しやすい広さや形状に形成されていることから、ティシュペーパーは破れたりすることなく、スムーズに引き出せることとなる。【００１１】  その結果、この紙箱は狭い机やテーブル等の上においても場所をとらず、コンパクトで、しかも使い勝手が良く、持ち運びも手軽である等の効果が極めて大きく、また、サイコロのような形状をしたキュートな感じのこの紙箱は、見た目も楽しく、ファッション性もあり、今日のコンパクト化の流れにも沿った時機を得た発明といえる。【００１２】  また、この紙箱の製造コストは、従来とほとんど同じ工程で製造できるため、製造コストは従来とほとんど変わらないことが予想されることも効果の一つである。【００１３】  第２の発明の効果は、第１の発明による紙箱が複数個同一の向きで重ね合わせられて一体化されているため、最上部の紙箱が使用済みとなれば、その空になった上側の紙箱をそっくり箱ごと剥がすならば、下側の紙箱とは、ミシン目で切り込みがつけられた下箱の取り出し口を覆うふた部とだけが上箱の底面に貼着しているだけであるから、上下の箱は簡単に剥がされて分離することとなり、しかも、その結果として、自動的に下箱のふた部のみが剥がされて、取り出し口が現れることとなる。【００１４】  このように、この発明によって複数個の紙箱が一体化され、タワー状の紙箱が形成されるため、高さを自由自在に高くすることが可能となり、たとえば２個重ね、３個重ね、４個重ね等のように重ねる箱数を自由に変えることができ、収容枚数を大幅に増やすことができる。【００１５】  その結果、この発明によって高さと収容枚数が自由に変えられるフレキシブル性を持った新規格の紙箱を提供することが可能となり、これによって、第１の発明の収容枚数が、従��のものと比べて横幅が半分になる分だけ少なくなってしまうという弱点もこれで解決されることとなる。【００１６】  もちろん、この発明が狭い机やテーブル等の上にも置きやすく、使い勝手が良いという効果は、前記第１の発明と全く同様である。
【発明を実施するための最良の形態】
【００１７】  以下、この発明の実施の形態を図１から図８に基づいて説明するが、これらの実施例だけに限定されるものではない。
【実施例１】
【００１８】  第１の発明の実施例１を説明すると、図８に示すように、直方体の紙箱１に交互に折り重ねた複数枚のティシュペーパー２を収容し、上面３にミシン目で切り込み９を設けた取り出し口１０から、内部に収容したティシュペーパー２を引き出すようにし、かつその取り出し口１０の内側にはスリット１３を有する樹脂フィルム１２を貼着した横長形状の家庭用のティシュペーパーの紙箱１において、
図１，２に示すように、紙箱１の上面３および底面４をほぼ正方形とし、紙箱１の高さ２５を、内部にほぼ正方形に折りたたまれて収容されたティシュペーパー２の一辺５の長さの約７０パーセントの長さとした直方体の紙箱１を形成するとともに、紙箱１の上面３中央部の両端部６，７より少し内側に、ミシン目で切りこみ９を入れてほぼ長方形に形成した取り出し口１０とそれを覆う同一形状のふた部２３を設けるが、その取り出し口１０の長手方向の向きは、内部に収容されたティシュペーパー２の折り目１１に対して直角とし、取り出し口１０の長手方向の長さは紙箱１の上面３の一辺８の長さの約３分の２とし、同じく取り出し口の短手方向の長さは上面３の一辺８の長さの約３分の１とするとともに、取り出し口１０の内側に貼着された軟質の樹脂フィルム１２に設けられたスリット１３は、樹脂フィルム１２の長手方向中央部にほぼ直線状に形成し、かつスリット１３の両端部付近を十字形状１６に形成する。【００１９】  このような構成であるから、紙箱内部のティシュペーパー２が少なくなって、最上部にあるティシュペーパーと取り出し口との距離が開いてきた場合でも、上面３に設けた取り出し口１０の向きと内部に収容されたティシュペーパー２の折り目１１の向きとが直角の向きになっているため、内部のティシュペーパー２が引き上げられるときには９０度の角度でねじれながら引き上げられ、紙どうしの摩擦力（くっつきあう力）がより大きくなるとともに、その取り出し口１０の長さは紙箱１の上面３の一辺８の長さより少し短いため、ティシュペーパー２の左右が同時に絞られながら引き出されることから、摩擦力が増して落下しにくくなり、なおかつ、取り出し口１０の内側に軟質の樹脂フィルム１２が貼られ、取り出し口１０の長さよりより少し短めにスリット１３が設けられているため、内部から引き出されるときに樹脂フィルム１２の締め付ける力がより強く働くことと合わさって、取り出し口での保持力が一層増すこととなり、内部から引き上げられるティシュペーパー２は途中で落下しにくくなる。【００２０】  そのため従来の紙箱（図８）の高さ２６は、一般的には５０ミリ程度のものが多いのに比べ、この実施例１における紙箱１の高さ２５は、８０ミリ程度にまで高くするこが可能となり、これにより、紙箱１の上面３および底面４を約半分に縮小しても、１４０〜１５０組程度のティシュペーパー２を収容することが可能となる。【００２１】また、使い始めの時の紙箱１において、満杯状態でティシュペーパー２を引き出す場合でも、取り出し口１０および樹脂フィルム１２が取り出し易い構造や形状や位置になっているため、スムーズに引き出されることとなる。
【実施例２】
【００２２】  第１の発明の実施例２について説明すると、図３に示すように、このスリット１３の両端部１４，１５付近の形状をＴ字形状２７にすることもできる。
【実施例３】
【００２３】  第２の発明の実施例３について説明すると、図４，５、６に示すように、第１の発明の紙箱１と同様の紙箱１８を、１箱だけ同一の向きで重ね合わせるとともに、その重ね合わせた上側の紙箱１８の底面１９の一部と、下側の紙箱１のミシン目で切りこみ９を設けた取り出し口１０を覆うふた部２３とに、それぞれ貼着部材２８を塗布して両者を貼着して、一体化した２個重ね紙箱１７を形成する。【００２４】  このような構成であるから、第１の発明による紙箱１が、１箱だけ重ね合わせられて一体化されるため、上側の紙箱１８が使用済みとなれば、下側の紙箱１とは、ミシン目で切り込み９がつけられた下箱の取り出し口１０を覆うふた部２３とだけが、上箱１８の底面１９に接着しているだけであるから、その空になった上側の紙箱１８をそっくり箱ごと剥がすならば、上下の箱は簡単に剥がされて分離することとなり、しかも、その結果として、自動的に下箱１の取り出し口１０が現れることとなる。
【実施例４】
【００２５】  また、第２の発明の実施例４について説明すると、実施例３以外にも、図７に示すように、第１の発明の紙箱１と同様の紙箱２１，２２を、紙箱１に重ね合わせて３個重ねとし、実施例３と同様に、それぞれ上側の紙箱２１，２２の底面の一部と、下側の紙箱の取り出し口を覆うふた部２３，２４とを貼着して、一体化した３個重ね紙箱２０を形成することもできる。もちろん、同様にして、４個以上の紙箱を重ねて形成することも可能である。
【図面の簡単な説明】
【００２６】
【図１】  この発明の実施形態を示す実施例１の斜視図
【図２】  この発明の実施形態を示す実施例１の部分斜視図
【図３】  この発明の実施形態を示す実施例１のスリットの形状を示す平面図
【図４】  この発明の実施形態を示す実施例２の２個重ね紙箱の斜視図
【図５】  この発明の実施形態を示す実施例２の２個重ね紙箱の概略断面図
【図６】  この発明の実施形態を示す実施例２の２個重ね紙箱の貼着部分の概略部分断面図
【図７】  この発明の実施形態を示す実施例３の３個重ね紙箱の斜視図
【図８】  従来の家庭用のティシュペーパーの紙箱の斜視図
【符号の説明】
【００２７】１    紙箱
２    ティシュペーパー
３    上面
４    底面
５    一辺
６    端部
７    端部
８    一辺
９    切込み
１０  取り出し口
１１  折り目
１２  樹脂フィルム
１３  スリット
１４  端部
１５  端部
１６  十字形状スリット
１７  ２個重ね紙箱
１８  紙箱
１９  底面
２０  ３個重ね紙箱
２１  紙箱
２２  紙箱
２３  ふた部
２４  ふた部
２５  高さ
２６  高さ
２７  Ｔ字形状スリット
２８  貼着部材
【図１】
2006213398.tif 000003
【図２】
2006213398.tif 000004
【図３】
2006213398.tif 000005
【図４】
2006213398.tif 000006
【図５】
2006213398.tif 000007
【図６】
2006213398.tif 000008
【図７】
2006213398.tif 000009
【図８】
2006213398.tif 000010